(57)【要約】【課題】干渉測定用のＣＳＩ-ＲＳ数を増加して干渉測定精度を改善すること。【解決手段】チャネル状態測定用の第１参照信号を送信するための参照信号用リソースに、第１参照信号を割り当てると共に干渉測定用の第２参照信号を割り当て、第１参照信号及び第２参照信号の両方をサポートする第１の移動端末装置に対して、第１参照信号及び第２参照信号の割り当てパターンを暗示的に通知し、第１の移動端末装置において、暗示的に通知された割り当てパターンに基づいて、第１参照信号及び第２参照信号の双方または第２参照信号のみを用いて干渉測定する。【選択図】図３
2014057138.tif 000002
【特許請求の範囲】
【請求項１】
チャネル状態測定用の第１参照信号を送信する複数の基地局装置と、前記複数の基地局装置のいずれかに接続する第１及び第２の移動端末装置とを備えた無線通信システムであって、
前記各基地局装置は、
前記第１参照信号送信用に規定された参照信号用リソースに、前記第１参照信号を割り当てると共に干渉測定用の第２参照信号を割り当てる参照信号割当部を備え、
前記第１参照信号及び前記第２参照信号の両方をサポートする第１の移動端末装置に対して、前記第１参照信号及び前記第２参照信号の割り当てパターンを暗示的に通知し、
前記第１の移動端末装置は、
前記基地局装置から暗示的に通知された割り当てパターンに基づいて、前記第１参照信号及び前記第２参照信号の双方または前記第２参照信号のみを用いて干渉測定する干渉測定部を備えたことを特徴とする無線通信システム。
【請求項２】
前記参照信号割当部は、チャネル状態測定及び干渉測定を兼用する参照信号を、前記第２参照信号として、前記第２の移動端末装置がサポートする第１参照信号の割り当てパターンに基づいて、参照信号用リソースに割当て、
前記第１の移動端末装置は、前記第２参照信号を用いてチャネル状態及び干渉測定することを特徴とする請求項１に記載の無線通信システム。
【請求項３】
前記参照信号割当部は、干渉測定専用の参照信号を、前記第２参照信号として、前記第２の移動端末装置がサポートする第１参照信号の割り当てパターンに基づいて、参照信号用リソースに割当て、
前記第１の移動端末装置は、前記第１参照信号及び前記干渉測定専用の参照信号を用いて干渉測定することを特徴とする請求項１に記載の無線通信システム。
【請求項４】
前記参照信号割当部は、ゼロパワーのチャネル状態測定用の第３参照信号を、前記第２参照信号として、前記第２の移動端末装置がサポートする第１参照信号の割り当てパターンに基づいて、参照信号用リソースに割当て、
前記第１の移動端末装置は、ゼロパワーのチャネル状態測定用の第３参照信号が割当てられたリソースにおいて干渉測定することを特徴とする請求項１に記載の無線通信システム。
【請求項５】
前記参照信号割当部は、ゼロパワーのチャネル状態測定用の第３参照信号を、前記第２参照信号として、参照信号用リソースにランダムに割当て、
前記第１の移動端末装置は、ゼロパワーのチャネル状態測定用の第３参照信号が割当てられたリソースにおいて干渉測定することを特徴とする請求項１に記載の無線通信システム。
【請求項６】
前記参照信号割当部は、干渉測定専用の参照信号を、前記第２参照信号として、参照信号用リソースにランダムに割当て、
前記第１の移動端末装置は、前記第１参照信号及び前記干渉測定専用の参照信号を用いて干渉測定することを特徴とする請求項１に記載の無線通信システム。
【請求項７】
前記参照信号割当部は、他の基地局装置と同一の割当てパターンを適用すると共に、前記第２の移動端末装置がサポートする第１参照信号の割り当てパターンに基づいて、第２参照信号のリソースを割り当てることを特徴とする請求項１に記載の無線通信システム。
【請求項８】
前記参照信号割当部は、時間領域で２シンボル連続する同一周波数の２つのリソースエレメントを第２参照信号の割当て単位とし、一方のリソースエレメントに他の基地局装置との間で直交するように、ゼロパワーのチャネル状態測定用の第３参照信号を割当てることを特徴とする請求項７に記載の無線通信システム。
【請求項９】
前記参照信号割当部は、時間領域で２シンボル連続する同一周波数の２つのリソースエレメントを第２参照信号の割当て単位とし、一方のリソースエレメントに他の基地局装置との間で直交するように、干渉測定専用の参照信号を割当てることを特徴とする請求項７に記載の無線通信システム。
【請求項１０】
複数の移動端末装置が接続される基地局装置であって、
チャネル状態測定用の第１参照信号送信用に規定された参照信号用リソースに、前記第１参照信号を割り当てると共に干渉測定用の第２参照信号を割り当てる参照信号割当部を備え、
前記第１参照信号及び前記第２参照信号の両方をサポートする移動端末装置に対して、前記第１参照信号及び前記第２参照信号の割り当てパターンを暗示的に通知することを特徴とする基地局装置。
【請求項１１】
基地局装置に接続する移動端末装置であって、
前記基地局装置から暗示的に通知された、チャネル状態測定用の第１参照信号の割り当てパターン、及び前記第１参照信号送信用に規定された参照信号用リソースに割り当てられた干渉測定用の第２参照信号の割り当てパターンに基づいて、前記第１参照信号及び前記第２参照信号の双方または前記第２参照信号のみを用いて干渉測定することを特徴とする移動端末装置。
【請求項１２】
チャネル状態測定用の第１参照信号を送信するための参照信号用リソースに、前記第１参照信号を割り当てると共に干渉測定用の第２参照信号を割り当てるステップと、
前記第１参照信号及び前記第２参照信号の両方をサポートする第１の移動端末装置に対して、前記第１参照信号及び前記第２参照信号の割り当てパターンを暗示的に通知するステップと、
前記第１の移動端末装置において、暗示的に通知された割り当てパターンに基づいて、前記第１参照信号及び前記第２参照信号の双方または前記第２参照信号のみを用いて干渉測定するステップと、を備えたことを特徴とする干渉測定方法。
【発明の詳細な説明】
【技術分野】
【０００１】
本発明は、次世代移動通信システムにおける無線通信システム、基地局装置、移動端末装置、及び干渉測定方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（LTE：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥシステムの後継のシステムも検討されている（例えば、ＬＴＥアドバンスト又はＬＴＥエンハンスメントと呼ぶこともある（以下、「ＬＴＥ-Ａ」という））。
【０００４】
ＬＴＥシステム（例えば、Rel.8）の下りリンクにおいて、セルＩＤに括りつけられたＣＲＳ（Cell-specific  Reference  Signal）が定められている。このＣＲＳは、ユーザデータの復調に用いられる他、スケジューリングや適応制御のための下りリンクのチャネル品質（CQI：Channel  Quality  Indicator）測定等に用いられる。一方、ＬＴＥの後継システム（例えば、Rel.10）の下りリンクにおいては、ＣＳＩ（Channel  State  Information）測定専用にＣＳＩ−ＲＳ（Channel  State  Information  -  Reference  Signal）が検討されている。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
ところで、移動端末装置側でＣＱＩを測定する場合には、干渉測定の精度が重要になっている。ＬＴＥシステムでは、セルＩＤに括りつけられたＣＲＳを用いて干渉測定される。しかしながら、複数の送信ポイントに対し同一セルＩＤが付与されるシステム構成の場合、同一セルＩＤが付与された複数の送信ポイントから同時送信されたＣＲＳをユーザ端末において分離できない不都合が存在する。一方で、ＬＴＥ-Ａ（Rel.10）において、受信信号（希望波）の信号成分測定用に規定されたＣＳＩ−ＲＳは複数の送信ポイントに対し同一セルＩＤが付与されるシステム構成であってもＣＳＩ−ＲＳを分離できる。しかしながら、ＣＳＩ−ＲＳを用いて干渉測定する場合には、ＣＳＩ−ＲＳの密度が低いため、高精度に干渉測定することが難しい。
【０００７】
本発明はかかる点に鑑みてなされたものであり、ＣＲＳに依存しない将来のシステムにおいて高精度に干渉測定できる無線通信システム、基地局装置、移動端末装置、及び干渉測定方法を提供することを目的とする。
【課題を解決するための手段】
【０００８】
本発明の無線通信システムは、チャネル状態測定用の第１参照信号を送信する複数の基地局装置と、前記複数の基地局装置のいずれかに接続する第１及び第２の移動端末装置とを備えた無線通信システムであって、前記各基地局装置は、前記第１参照信号送信用に規定された参照信号用リソースに、前記第１参照信号を割り当てると共に干渉測定用の第２参照信号を割り当てる参照信号割当部を備え、前記第１参照信号及び前記第２参照信号の両方をサポートする第１の移動端末装置に対して、前記第１参照信号及び前記第２参照信号の割り当てパターンを暗示的に通知し、前記第１の移動端末装置は、前記基地局装置から暗示的に通知された割り当てパターンに基づいて、前記第１参照信号及び前記第２参照信号の双方または前記第２参照信号のみを用いて干渉測定する干渉測定部を備えたことを特徴とする。
【発明の効果】
【０００９】
本発明によれば、第１参照信号送信用に規定された参照信号用リソースに、第１参照信号を割り当てると共に干渉測定用の第２参照信号を割り当てるので、チャネル状態測定用の参照信号用リソースにおける干渉測定用の参照信号の密度を高くすることができ、他の送信ポイントからの干渉を高精度に測定できる。
【図面の簡単な説明】
【００１０】
【図１】リソースブロックにおけるＣＳＩ−ＲＳの割り当てパターンの説明図である。
【図２】ＣＳＩ−ＲＳを用いたＣＱＩ測定におけるミューティングの説明図である。
【図３】高密度化ＣＳＩ−ＲＳパターンを示す図である。
【図４】既存ＣＳＩ−ＲＳパターンを示す図である。
【図５】干渉測定専用ＣＳＩ−ＲＳを含んだＣＳＩ−ＲＳパターンを示す図である。
【図６】干渉測定用ゼロパワーＣＳＩ−ＲＳを含んだＣＳＩ−ＲＳパターンを示す図である。
【図７】干渉測定用ゼロパワーＣＳＩ−ＲＳの多重位置を変える場合を示す図である。
【図８】干渉測定用ゼロパワーＣＳＩ−ＲＳの多重位置を変える場合を示す図である。
【図９】ランダムホールを含んだＣＳＩ−ＲＳパターンを示す図である。
【図１０】ランダムＣＳＩ−ＲＳを含んだＣＳＩ−ＲＳパターンを示す図である。
【図１１】送信ポイント間で同一のランダムホールを含んだＣＳＩ−ＲＳパターンを示す図である。
【図１２】送信ポイント間で同一のランダムＣＳＩ−ＲＳを含んだＣＳＩ−ＲＳパターンを示す図である。
【図１３】１６ビットビットマップを用いたシグナリング法を説明するためのＣＳＩ−ＲＳパターンを示す図である。
【図１４】無線通信システムのシステム構成の説明図である。
【図１５】基地局装置の全体構成の説明図である。
【図１６】移動端末装置の全体構成の説明図である。
【図１７】基地局装置の機能ブロック図である。
【図１８】移動端末装置の機能ブロック図である。
【発明を実施するための形態】
【００１１】
まず、図１を参照して、ＬＴＥの後継システム（例えば、Rel.10）で採用される参照信号の１つであるＣＳＩ−ＲＳについて説明する。ＣＳＩ−ＲＳは、チャネル状態としてのＣＱＩ（Channel  Quality  Indicator）、ＰＭＩ（Precoding  Matrix  Indicator）、ＲＩ（Rank  Indicator）等のＣＳＩ測定に用いられる参照信号である。ＣＳＩ−ＲＳは、全てのサブフレームに割り当てられるＣＲＳと異なり、所定の周期、例えば１０サブフレーム周期で割り当てられる。また、ＣＳＩ−ＲＳは、位置、系列および送信電力というパラメータで特定される。ＣＳＩ−ＲＳの位置には、サブフレームオフセット、周期、サブキャリア-シンボルオフセット（インデックス）が含まれる。
【００１２】
なお、ＣＳＩ−ＲＳとしては、ノンゼロパワーＣＳＩ−ＲＳとゼロパワーＣＳＩ−ＲＳとが定義されている。ノンゼロパワーＣＳＩ−ＲＳは、ＣＳＩ−ＲＳが割り当てられるリソースに送信パワーを分配し、ゼロパワーＣＳＩ−ＲＳは、割り当てられるリソースに送信パワーが分配されない（ＣＳＩ−ＲＳがミュートされた）。
【００１３】
ＣＳＩ−ＲＳは、ＬＴＥで規定される１リソースブロックにおいて、ＰＤＣＣＨ（Physical  Downlink  Control  Channel）等の制御信号、ＰＤＳＣＨ（Physical  Downlink  Shared  Channel）等のユーザデータ、ＣＲＳ（Cell-specific  Reference  Signal）やＤＭ-ＲＳ（Demodulation  -  Reference  Signal）等の他の参照信号と重ならないように割り当てられる。１リソースブロックは、周波数方向に連続する１２サブキャリアと、時間軸方向に連続する１４シンボルとで構成される。ＰＡＰＲを抑制する観点から、ＣＳＩ−ＲＳを割当て可能なリソースは、時間軸方向に隣接する２つのリソースエレメントがセットで割り当てられる。
【００１４】
図１に示されるＣＳＩ−ＲＳ配置構成では、１リソースブロックにＣＳＩ−ＲＳ用リソース（参照信号用リソース）として４０リソースエレメントが確保されている。この４０リソースエレメントには、ＣＳＩ−ＲＳポート数（アンテナ数等）に応じてＣＳＩ−ＲＳパターンが設定される。各ＣＳＩ−ＲＳパターンでは、１つのＣＳＩ−ＲＳポートにつき、１つのリソースエレメントがＣＳＩ−ＲＳ用に割り当てられる。
【００１５】
ＣＳＩ−ＲＳポート数が２の場合、４０リソースエレメントの中の２つのリソースエレメントにＣＳＩ−ＲＳが割り当てられる。よって、図１Ａでは、インデックス＃０−＃１９（CSI  Configuration＝0−19）で示される２０パターンのＣＳＩ−ＲＳパターンが設定される。ここでは、説明の便宜上、１パターンを構成するリソースエレメントに同一のインデックスを付している。
【００１６】
ＣＳＩ−ＲＳポート数が４の場合、４０リソースエレメントの中の４つのリソースエレメントにＣＳＩ−ＲＳが割り当てられる。よって、図１Ｂでは、インデックス＃０−＃９（CSI  Configuration＝0-9）で示される１０パターンのＣＳＩ−ＲＳパターンが設定される。なお、ＣＳＩ−ＲＳパターンにおいて、ＣＳＩ−ＲＳが割り当てられなかったリソースエレメントには、ユーザデータ等が割り当てられる。
【００１７】
そして、ＣＳＩ−ＲＳは、セル毎に異なるＣＳＩ−ＲＳパターン（CSI  Configuration）が選択されることで、セル間での干渉が抑えられている。また、ＣＳＩ−ＲＳパターンは、図１Ａ、Ｂに示すＦＤＤのノーマルパターンの他、図１Ｃに示すようにＦＤＤのオプションとしてＴＤＤのアディショナルパターンを加えてもよい。また、ＦＤＤのノーマルパターンを拡張した不図示のエクステンデッドパターンでもよい。また、ＣＳＩ−ＲＳポート数８のＣＳＩ−ＲＳパターンを有してもよい。以下の説明では、説明の便宜上、ＦＤＤのノーマルパターンを例示して説明する。
【００１８】
このＣＳＩ−ＲＳを用いたＣＳＩ測定においては、隣接セルからの干渉により測定精度が劣化する場合がある。例えば、図２Ａに示すように、セルＣ１の下りリンクのリソースブロックに、隣接セルＣ２のＣＳＩ−ＲＳに対応してユーザデータが割り当てられている。また、セルＣ２の下りリンクのリソースブロックに、隣接セルＣ１のＣＳＩ−ＲＳに対応してユーザデータが割り当てられている。これらユーザデータは、各セルにおけるＣＳＩ−ＲＳの干渉成分を構成し、セルＣ１及びセルＣ２の境界に位置する移動端末装置におけるＣＳＩの測定精度を劣化させる要因となる。
【００１９】
ユーザデータの割り当て位置に起因するＣＳＩの測定精度の劣化を改善するため、ミューティングを適用することができる。ミューティングにおいては、図２Ｂに示すように、隣接セルのＣＳＩ−ＲＳに対応するリソースにユーザデータが割り当てられない。セルＣ１の下りリンクのリソースブロックは、セルＣ２のＣＳＩ−ＲＳに対応してミューティングされる。また、セルＣ２の下りリンクのリソースブロックは、セルＣ１のＣＳＩ−ＲＳに対応してミューティングされる。この構成により、隣接セルのユーザデータに起因するＣＳＩ−ＲＳの干渉成分を排除して、移動端末装置におけるＣＳＩの測定精度が改善される。本発明は、上記目的以外に、既存端末に対して追加ＣＳＩ−ＲＳをマスクするためにミューティングを行う。
【００２０】
なお、ミューティングされるリソースは、送信電力が０のリソースであるが、全くデータが割り当てられないリソースとして規定されてもよい。又は、隣接セルのＣＳＩ−ＲＳに干渉を与えない程度にデータが割り当てられるリソースとして規定されてもよい。場合によっては、ミューティングされたリソースは、隣接セルのＣＳＩ−ＲＳに対して干渉を与えない程度の送信電力で送信されるリソースとして規定されてもよい。
【００２１】
ＣＳＩ−ＲＳによってＣＱＩを算出する場合、干渉測定の精度が重要である。ユーザ個別の参照信号であるＣＳＩ−ＲＳを用いれば、複数の送信ポイントからのＣＳＩ−ＲＳをユーザ端末において分離できるので、ＣＳＩ−ＲＳベースの干渉測定は有望である。しかし、ＬＴＥ（Rel.10）で規定されたＣＳＩ−ＲＳは１リソースブロックにおける密度が低いので、他の送信ポイント（他セル）からの干渉を高精度に測定できない。
【００２２】
本発明の第1の側面は、ＣＳＩ−ＲＳ送信用リソースにおけるＣＳＩ−ＲＳ密度を、ＬＴＥ（Rel.10）で規定されたＣＳＩ−ＲＳ(以下、既存ＣＳＩ−ＲＳという)の密度よりも高くした、高密度化ＣＳＩ−ＲＳを用いて、他の送信ポイントからの干渉を測定する。
【００２３】
これにより、ユーザ端末が接続された送信ポイント以外の送信ポイントからの干渉を高精度に測定できる。しかも、高密度化ＣＳＩ−ＲＳを用いてＣＳＩを求めることができ、ＣＳＩの精度を改善することもできる。本発明の第１の側面によれば、干渉測定精度及び信号推定精度の双方を改善できる。
【００２４】
また、ＬＴＥ（Rel.10）の既存ＣＳＩ−ＲＳはサポートするが、高密度化ＣＳＩ−ＲＳはサポートしていないユーザ端末（以下、既存端末（Rel.10）という）との下りリンクの通信では、追加ＣＳＩ−ＲＳ（Rel.10で規定されたＣＳＩ−ＲＳの固定パターンに加えて追加されたＣＳＩ−ＲＳ）のリソースに、ゼロパワーＣＳＩ−ＲＳを割当てることが望ましい。
【００２５】
これにより、既存端末（Rel.10）は、サポートしていない追加ＣＳＩ−ＲＳをゼロパワーＣＳＩ−ＲＳとして認識して、追加ＣＳＩ−ＲＳリソースを除外したデータ復調が可能になる。
【００２６】
ここで、高密度化ＣＳＩ−ＲＳベースの干渉測定方法について説明する。
以下、異なるセルＩＤ又は同一セルＩＤが付与される複数の無線基地局が送信ポイントとなるシステム構成を例に説明する。
図３は、高密度化ＣＳＩ−ＲＳの一例を示しており、図１Ａに示す第８、９、１０、１１シンボルを２リソースブロック分だけ抜き出したものである。なお、図４Ｂは１リソースブロック内でＣＳＩ−ＲＳリソースを構成するリソースエレメントに説明の便宜のためにナンバリングした様子を示している。以下の説明では、１リソースブロック内でＣＳＩ−ＲＳリソースを特定する場合には、図４Ｂに示すリソース番号を適宜使用する。
【００２７】
図３は、送信ポイントＴＰ＃１，ＴＰ＃２に適用される高密度化ＣＳＩ−ＲＳパターンを示している。送信ポイントＴＰ＃１に適用される高密度化ＣＳＩ−ＲＳは、１リソースブロック内において、リソースエレメント（１，２）（７，８）（１３，１４）（１９，２０）にＣＳＩ−ＲＳ（ノンゼロパワーＣＳＩ−ＲＳ）が配置され、リソースエレメント（３，４）（９，１０）（１５，１６）（２１，２２）にゼロパワーＣＳＩ−ＲＳが配置されている。図４Ａに示す送信ポイントＴＰ＃１での既存ＣＳＩ−ＲＳパターンと比較すると明らかなように、高密度化ＣＳＩ−ＲＳは図４Ａに示す既存ＣＳＩ−ＲＳの固定パターン（例えば、２アンテナポート用）の２倍の密度に設定している。
【００２８】
図３に示す送信ポイントＴＰ＃２の高密度化ＣＳＩ−ＲＳは、１リソースブロック内において、リソースエレメント（３，４）（９，１０）（１５，１６）（２１，２２）にＣＳＩ−ＲＳ（ノンゼロパワーＣＳＩ−ＲＳ）が配置され、リソースエレメント（１，２）（７，８）（１３，１４）（１９，２０）にゼロパワーＣＳＩ−ＲＳが配置されている。
【００２９】
図３に示す例では、送信ポイントＴＰ＃１と送信ポイントＴＰ＃２との間で、高密度化ＣＳＩ−ＲＳが時間・周波数領域で直交化されている。
【００３０】
送信ポイント＃１を構成する無線基地局（ＴＰ＃１）は、ＴＰ＃１に接続するユーザ端末のうち、高密度化ＣＳＩ−ＲＳをサポートする端末（以下、サポート端末という）に対して図３に示す高密度化ＣＳＩ−ＲＳの設定情報をハイヤレイヤシグナリングで通知し、既存端末（Rel.10）に対して図４に示すＣＳＩ−ＲＳの設定情報をハイヤレイヤシグナリングで通知すると共に追加ＣＳＩ−ＲＳリソースにはゼロパワーＣＳＩ−ＲＳの設定情報をハイヤレイヤシグナリングで通知する。
【００３１】
高密度化ＣＳＩ−ＲＳが通知されたサポート端末は、接続先の送信ポイントから送信された全ての高密度化ＣＳＩ−ＲＳを用いたチャネル状態測定によってＣＳＩを求めると共に、高密度化ＣＳＩ−ＲＳリソースにおいて他の送信ポイントから送信された高密度化ＣＳＩ−ＲＳを用いて干渉測定する。なお、図３に示す例では、ＴＰ＃１のＣＳＩ−ＲＳリソースと同一リソースがＴＰ＃２においてミュートされているので、ＴＰ＃２以外の他の送信ポイントからの干渉を測定できる。このように、チャネル状態測定及び干渉測定に用いられるＣＳＩ−ＲＳ数が増加するので、チャネル状態測定及び干渉測定のそれぞれの精度を改善できる。
【００３２】
一方、既存端末（Rel.10）は、追加ＣＳＩ−ＲＳリソースにはゼロパワーＣＳＩ−ＲＳが設定されていると認識して当該リソースを復調から排除する。
【００３３】
図３に示すように、送信ポイントＴＰ＃１と送信ポイントＴＰ＃２との間で、高密度化ＣＳＩ−ＲＳが完全に時間・周波数領域で直交化されている場合、送信ポイント＃１に接続するユーザ端末は、他の送信ポイント＃２の干渉を受けずに、ＣＳＩ−ＲＳの信号成分についてチャネル状態測定できる。
【００３４】
本発明の第２の側面は、１リソースブロックにおけるＣＳＩ−ＲＳ密度を、ＬＴＥ（Rel.10）で規定された密度よりも高くするため、干渉測定専用のＣＳＩ−ＲＳである干渉測定専用ＣＳＩ−ＲＳを追加したＣＳＩ−ＲＳパターンを適用し、干渉測定専用ＣＳＩ−ＲＳを用いて、ユーザ端末は他の送信ポイントからの干渉を測定する。
【００３５】
これにより、既存ＣＳＩ−ＲＳ及び干渉測定専用ＣＳＩ−ＲＳを用いて干渉測定できるので、干渉測定用の参照信号数を増加でき、干渉測定の精度を改善できる。干渉測定専用ＣＳＩ−ＲＳは、既存ＣＳＩ−ＲＳと異なり、チャネル状態測定には用いなければ、既存ＣＳＩ−ＲＳと重ならないリソースに自由に配置できる。
【００３６】
ここで、干渉測定専用ＣＳＩ−ＲＳを用いた干渉測定方法について説明する。
上記同様に、２つの無線基地局が送信ポイントＴＰ＃１、ＴＰ＃２となるシステム構成を例に説明する。
図５は、干渉測定専用ＣＳＩ−ＲＳが追加配置されたＣＳＩ−ＲＳパターンの一例を示しており、図１Ａに示す第８、９、１０、１１シンボルを２リソースブロック分だけ抜き出したものである。
【００３７】
送信ポイントＴＰ＃１は、干渉測定専用ＣＳＩ−ＲＳを、１リソースブロック内において、既存ＣＳＩ−ＲＳ（１，２）（１３，１４）と重ならないリソース（２１，２２）に配置する。干渉測定専用ＣＳＩ−ＲＳは、既存ＣＳＩ−ＲＳのようなチャネル状態測定に用いないので、既存ＣＳＩ−ＲＳと重ならないリソースに自由に配置できる。送信ポイントＴＰ＃２は、干渉測定専用ＣＳＩ−ＲＳを、１リソースブロック内において、既存ＣＳＩ−ＲＳリソース（３，４）（１５，１６）と重ならないリソース（２１，２２）に配置する。
【００３８】
図５に示す例では、送信ポイントＴＰ＃１と送信ポイントＴＰ＃２との間で、同一リソース（２１，２２）に干渉測定専用ＣＳＩ−ＲＳが配置されている。異なる送信ポイント又はユーザ端末に対して異なるスクランブリング系列を用いて干渉測定専用ＣＳＩ−ＲＳの信号系列を生成すれば、複数送信ポイントＴＰ＃１，ＴＰ＃２からの干渉測定専用ＣＳＩ−ＲＳが合成されていても、ユーザ端末はコード分離することが可能である。また、送信ポイント間で干渉測定専用ＣＳＩ−ＲＳのリソースが重ならないように周波数軸方向にシフトさせるようにしてもよい。この場合、干渉測定専用ＣＳＩ−ＲＳのシフト数（リソースエレメント数）を変化させることで、隣接送信ポイント間で干渉測定専用ＣＳＩ−ＲＳのパターンが重なることを防ぐことができる。
【００３９】
このように、複数送信ポイントＴＰ＃１，ＴＰ＃２の間で同一リソースに干渉測定専用ＣＳＩ−ＲＳが配置され、各送信ポイントでは干渉測定専用ＣＳＩ−ＲＳを１アンテナポート送信することにより、シグナリングのオーバヘッドを低減できる。ただし、本発明は送信ポイント間で同一リソースに干渉測定専用ＣＳＩ−ＲＳを配置するケースに限定されない。また本発明は干渉測定専用ＣＳＩ−ＲＳを１アンテナポート送信するケースに限定されない。また、干渉推定を行う際には、干渉測定専用ＣＳＩ−ＲＳに加えて既存ＣＳＩ−ＲＳを用いるようにしてもよい。
【００４０】
既存端末（Rel.10）に対して、干渉測定専用ＣＳＩ−ＲＳリソースをゼロパワーＣＳＩ−ＲＳとしてハイヤレイヤシグナリングする。
【００４１】
送信ポイント＃１を構成する無線基地局（ＴＰ＃１）は、ＴＰ＃１に接続するユーザ端末のうち、干渉測定専用ＣＳＩ−ＲＳをサポートするサポート端末に対して、図５に示す干渉測定専用ＣＳＩ−ＲＳの設定情報を暗示的に通知し、既存端末（Rel.10）に対して図４に示す既存ＣＳＩ−ＲＳの設定情報を暗示的に通知すると共に干渉測定専用ＣＳＩ−ＲＳのリソース（２１，２２）をゼロパワーＣＳＩ−ＲＳとして暗示的に通知する。ここで、「暗示的に通知する」とは、無線基地局からサポート端末に対して通知する情報に、干渉測定専用ＣＳＩ−ＲＳの設定情報（割り当てパターン等）、ＣＳＩ−ＲＳの設定情報（割り当てパターン等）、干渉測定専用ＣＳＩ−ＲＳのリソース（ゼロパワーＣＳＩ−ＲＳ）（ＣＳＩ−ＲＳに関連する情報）を関連づけておき、前記情報を通知することにより、暗示的にＣＳＩ−ＲＳに関する情報を通知することをいう。この場合において、ＣＳＩ−ＲＳに関連する情報と関連づける情報としては、セルＩＤ、参照信号（ＤＭ−ＲＳ、ＣＳＩ−ＲＳ、ＳＲＳ（Sounding  Reference  Signal）、ＰＲＳ（Positioning  Reference  Signal）、又はＣＲＳ（Cell-specific  Reference  Signal））のスクランブル系列生成に用いられるパラメータ、ユーザＩＤ（又はユーザグループＩＤ）、DISCOVERY  SIGNALの系列生成に用いられるパラメータ、同期信号（ＰＳＳ，ＳＳＳ）の系列生成に用いられるパラメータ、干渉測定専用ＣＳＩ−ＲＳや参照信号（ＤＭ−ＲＳ、ＣＳＩ−ＲＳ、ＳＲＳ、ＰＲＳ、又はＣＲＳ）や同期信号のリソースの多重位置等を挙げることができる。ここで、DISCOVERY  SIGNALとは、例えば、送信周期が同期信号（ＰＳＳ，ＳＳＳ）よりも長くなるように設定され、送信単位当たりの無線リソース量が同期信号よりも大きくなるような信号や、ＰＳＳ，ＳＳＳと同一の信号系列であって、時間／周波数方向に異なる位置で多重した信号を意味する。また、ここで参照信号とは、ＤＭ−ＲＳ、ＣＳＩ−ＲＳ、ＳＲＳ、ＰＲＳ、又はＣＲＳの一部の信号を含むものとする。また、参照信号に関するパラメータには特に制限はなく、例えば、送信周期が既存のものと異なる（例えば５ｍsec間隔）ＣＲＳもＣＲＳに含まれ、アンテナポート数が限定されたＣＲＳもＣＲＳに含まれる。
【００４２】
例えば、サポート端末にＣＳＩ−ＲＳに関する情報を通知する場合、ＣＳＩ−ＲＳに関する情報と下記式（１）に示すＣＳＩ−ＲＳのスクランブル系列生成に用いられるパラメータＸや下記式（２）に示すＤＭ−ＲＳのスクランブル系列生成に用いられるパラメータＸとを関連づけておき、Ｘをハイヤレイヤシグナリングすることにより、ＣＳＩ−ＲＳに関する情報を暗示的に通知する。
【数１】
2014057138.tif 000003
【数２】
2014057138.tif 000004
【００４３】
サポート端末は、干渉測定専用ＣＳＩ−ＲＳの暗示的な通知を受けて、干渉測定専用ＣＳＩ−ＲＳリソースを特定して受信し、干渉測定専用ＣＳＩ−ＲＳ及び既存ＣＳＩ−ＲＳの双方または干渉測定専用ＣＳＩ−ＲＳリソースのみを用いて干渉測定し、既存ＣＳＩ−ＲＳを用いてチャネル状態測定する。既存ＣＳＩ−ＲＳを用いた干渉測定では、接続先の送信ポイントＴＰ＃１から送信されたＣＳＩ−ＲＳと他の送信ポイント（図５ではＴＰ＃２以外の他の送信ポイント）からのＣＳＩ−ＲＳとを分離して干渉測定する。
【００４４】
既存端末（Rel.10）は、干渉測定専用ＣＳＩ−ＲＳのリソース（２１，２２）がゼロパワーＣＳＩ−ＲＳとして通知される。その結果、干渉測定専用ＣＳＩ−ＲＳが配置されたリソースについてはゼロパワーＣＳＩ−ＲＳとして認識し、干渉測定専用ＣＳＩ−ＲＳリソースをデータ復調から排除する。
【００４５】
本発明の第３の側面は、１リソースブロックにおいて干渉測定に使用するＣＳＩ−ＲＳの密度を、ＬＴＥ（Rel.10）で規定されたＣＳＩ−ＲＳ密度よりも高くするため、干渉測定にのみ使用するゼロパワーＣＳＩ−ＲＳ（以下、干渉測定用ゼロパワーＣＳＩ−ＲＳという）を追加したパターンを適用し、送信ポイント間で干渉測定用ゼロパワーＣＳＩ−ＲＳのリソースが重ならないように周波数軸方向にシフトさせる。干渉測定用ゼロパワーＣＳＩ−ＲＳのシフト数（リソースエレメント数）を変化させることで、隣接送信ポイント間で干渉推定用ゼロパワーＣＳＩ−ＲＳのパターンが重なることを防ぐことができる。各送信ポイント、または複数送信ポイント毎に対して異なる干渉測定用ゼロパワーＣＳＩ−ＲＳパターンを割り当てる。
【００４６】
これにより、ノンゼロパワーＣＳＩ−ＲＳ（送信パワーの有る既存ＣＳＩ−ＲＳ）と干渉測定用ゼロパワーＣＳＩ−ＲＳの双方を用いて干渉測定でき、干渉測定に利用可能なＣＳＩ−ＲＳ数を増加でき、干渉測定精度を改善できる。また、干渉測定用ゼロパワーＣＳＩ−ＲＳは送信電力が０であるので、干渉測定用ゼロパワーＣＳＩ−ＲＳが割り当てられたリソースで受信される信号成分はそのまま干渉成分として扱うことができ、干渉測定のための処理負担を軽減できる。
【００４７】
ここで、干渉測定用ゼロパワーＣＳＩ−ＲＳを用いた干渉測定方法について説明する。２つの無線基地局が送信ポイントＴＰ＃１、ＴＰ＃２となるシステム構成を例に説明する。
【００４８】
図６は、干渉測定用ゼロパワーＣＳＩ−ＲＳが追加配置されたＣＳＩ−ＲＳパターンの一例を示しており、図１Ａに示す第８、９、１０、１１シンボルを２リソースブロック分だけ抜き出したものである。
【００４９】
送信ポイントＴＰ＃１は、干渉測定用ゼロパワーＣＳＩ−ＲＳを、１リソースブロック内において、パターン１にしたがって、既存ＣＳＩ−ＲＳ（１，２（１３，１４）と重ならないリソース（７，８）に配置する。既存ＣＳＩ−ＲＳパターンに基づいて、干渉測定用ゼロパワーＣＳＩ−ＲＳは、同一周波数であって連続し２つのシンボルのリソースエレメントに割り当てる。
【００５０】
送信ポイントＴＰ＃２は、干渉測定用ゼロパワーＣＳＩ−ＲＳを、１リソースブロック内において、パターン２にしたがって、既存ＣＳＩ−ＲＳ（３，４）（１５，１６）と重ならないリソース（５，６）に配置する。
【００５１】
パターン１とパターン２とは互いに干渉測定用ゼロパワーＣＳＩ−ＲＳが重複しないように調整された複数のパターンの中から選択された任意のパターンである。干渉測定用ゼロパワーＣＳＩ−ＲＳの周波数方向のシフト数（リソースエレメント数）を変化させることで、時間・周波数領域で干渉測定用ゼロパワーＣＳＩ−ＲＳが直交するパターンを生成できる。
【００５２】
送信ポイント＃１を構成する無線基地局（ＴＰ＃１）は、ＴＰ＃１に接続するユーザ端末のうち、干渉測定用ゼロパワーＣＳＩ−ＲＳをサポートするサポート端末に対して、図６に示す干渉測定用ゼロパワーＣＳＩ−ＲＳの設定情報を暗示的に通知し、既存端末（Rel.10）に対して図４に示す既存ＣＳＩ−ＲＳの設定情報を暗示的に通知すると共に干渉測定用ゼロパワーＣＳＩ−ＲＳのリソースをゼロパワーＣＳＩ−ＲＳとして暗示的に通知する。
【００５３】
サポート端末は、干渉測定用ゼロパワーＣＳＩ−ＲＳが通知される。サポート端末は、通知された干渉測定用ゼロパワーＣＳＩ−ＲＳのリソースで受信した信号から干渉測定する。干渉測定用ゼロパワーＣＳＩ−ＲＳはゼロパワーであるので、干渉測定用ゼロパワーＣＳＩ−ＲＳリソースで受信された信号は、他の送信ポイントＴＰ＃２からの干渉信号そのものとなる。また、既存ＣＳＩ−ＲＳを用いてチャネル状態測定する。干渉測定には干渉測定用ゼロパワーＣＳＩ−ＲＳのリソースで受信した信号を用いた干渉測定に加えて既存ＣＳＩ−ＲＳを用いて干渉測定を行ってもよい。既存ＣＳＩ−ＲＳを用いた干渉測定では、接続先の送信ポイントＴＰ＃１から送信されたＣＳＩ−ＲＳと他の送信ポイント（図６ではＴＰ＃２以外の他の送信ポイント）からのＣＳＩ−ＲＳとを分離して干渉測定する。
【００５４】
一方、既存端末（Rel.10）は、干渉測定用ゼロパワーＣＳＩ−ＲＳに割り当てられたリソースがゼロパワーＣＳＩ−ＲＳとして通知される。既存端末（Rel.10）は、干渉測定用ゼロパワーＣＳＩ−ＲＳリソースを排除して信号復調する。
【００５５】
本発明の第４の側面は、干渉測定にのみ使用するゼロパワーＣＳＩ−ＲＳまたはＣＳＩ−ＲＳ（以下、それぞれ、干渉測定用ゼロパワーＣＳＩ−ＲＳ、干渉測定用ＣＳＩ−ＲＳという）を追加したパターンを適用し、図７及び図８に示すように、時間領域、周波数領域の少なくとも１つの領域において、干渉測定用ゼロパワーＣＳＩ−ＲＳ、または干渉測定用ＣＳＩ−ＲＳの多重位置を変える。図７は、干渉測定用ゼロパワーＣＳＩ−ＲＳを周波数領域で多重位置を変える場合について示しており、図８は、干渉測定用ゼロパワーＣＳＩ−ＲＳを時間領域及び周波数領域で多重位置を変える場合について示している。これにより、干渉測定に用いる無線リソースとして取り得る総数を増加することが可能となる。
【００５６】
時間領域、周波数領域の少なくとも１つの領域において、干渉測定用ゼロパワーＣＳＩ−ＲＳ、または干渉測定用ＣＳＩ−ＲＳの多重位置を変える場合、予め決められたパターンに基づいて多重位置を変えても良く、ランダムに多重位置を変えても良い。多重位置を変える時間領域、周波数領域は既存ＣＳＩ−ＲＳの多重領域内であっても良い。
【００５７】
また、干渉測定用ゼロパワーＣＳＩ−ＲＳ、または干渉測定用ＣＳＩ−ＲＳの多重位置を変えるパターンをサポート端末に暗示的に通知しても良い。
【００５８】
本発明の第５の側面は、干渉測定にのみ使用するリソースエレメント単位の干渉測定用ゼロパワーＣＳＩ−ＲＳ、または干渉推定用ＣＳＩ−ＲＳを、ランダムに配置（ホッピング）し、時間領域、周波数領域の少なくとも１つの領域において、ホッピングパターンを変える。これにより、干渉測定に用いる無線リソースとして取り得る総数を増加することが可能となる。
【００５９】
時間領域、周波数領域の少なくとも１つの領域において、干渉測定用ゼロパワーＣＳＩ−ＲＳ、または干渉測定用ＣＳＩ−ＲＳのホッピングパターンを変える場合、予め決められたパターンに基づいて多重位置を変えても良く、ランダムに多重位置を変えても良い。多重位置を変化させる時間領域、周波数領域は既存ＣＳＩ−ＲＳの多重領域内であっても良い。
【００６０】
また、干渉測定用ゼロパワーＣＳＩ−ＲＳ、または干渉測定用ＣＳＩ−ＲＳのホッピングパターンを変えるパターンをサポート端末に暗示的に通知しても良い。
【００６１】
本発明の第６の側面は、干渉測定にのみ使用するＣＳＩ−ＲＳ（以下、干渉測定用ＣＳＩ−ＲＳという）を追加したパターンを適用し、時間領域、周波数領域の少なくとも１つの領域において、干渉測定用ＣＳＩ−ＲＳの系列を変える。これにより、干渉測定に用いる無線リソースとして取り得る総数を増加することが可能となる。
【００６２】
時間領域、周波数領域の少なくとも１つの領域において、干渉測定用ＣＳＩ−ＲＳの系列を変える場合、予め決められたパターンに基づいて系列を変えても良く、ランダムに系列を変えても良い。
【００６３】
また、干渉測定用ＣＳＩ−ＲＳの系列を変えるパターンをサポート端末に暗示的に通知しても良い。
【００６４】
本発明の第７の側面は、干渉測定にのみ使用するリソースエレメント単位の干渉推定用ＣＳＩ−ＲＳを、ランダムに配置（ホッピング）し、時間領域、周波数領域の少なくとも１つの領域において、系列を変える。これにより、干渉測定に用いる無線リソースとして取り得る総数を増加することが可能となる。
【００６５】
時間領域、周波数領域の少なくとも１つの領域において、干渉測定用ＣＳＩ−ＲＳの系列を変えるためには、予め決められたパターンに基づいて系列を変えても良く、ランダムに系列を変えても良い。
【００６６】
また、干渉測定用ＣＳＩ−ＲＳの系列を変えるパターンをサポート端末に暗示的に通知しても良い。
【００６７】
本発明の第８の側面は、ＣＳＩ−ＲＳ送信用リソースにおいて、リソースエレメント単位の干渉測定用ゼロパワーＣＳＩ−ＲＳ（以下、ランダムホールという）を、ランダムに配置（ホッピング）するようにした。
【００６８】
これにより、ランダムホール（リソースエレメントサイズの干渉測定用ゼロパワーＣＳＩ−ＲＳ）のパターン数を増大することができる。また、既存ＣＳＩ−ＲＳ（ノンゼロパワーＣＳＩ−ＲＳ）とランダムホール（干渉測定用ゼロパワーＣＳＩ−ＲＳ）の双方を用いて干渉測定することも可能であり、干渉測定に利用可能なＣＳＩ−ＲＳ数が増加するので、干渉測定精度を改善できる。また、ランダムホールは送信電力が０であるので、干渉測定用ゼロパワーＣＳＩ−ＲＳリソースで受信される信号成分はそのまま干渉成分として扱うことができ、干渉測定のための処理負担を軽減できる。
【００６９】
ここで、ランダムホールベースの干渉測定方法について説明する。２つの無線基地局が送信ポイントＴＰ＃１、ＴＰ＃２となるシステム構成を例に説明する。
図９は、ランダムホールが追加されたＣＳＩ−ＲＳパターンの一例を示しており、図１Ａに示す第８、９、１０、１１シンボルを２リソースブロック分だけ抜き出したものである。
【００７０】
送信ポイントＴＰ＃１は、上側リソースブロック内のリソースエレメント（７）と別のリソースエレメント（１０）にランダムホールがそれぞれ配置され、下側リソースブロック内のリソースエレメント（８）と別のリソースエレメント（１９）にランダムホールがそれぞれ配置されている。ＣＲＳＩ-ＲＳ送信用リソース（図９に示す領域に限ればリソースエレメント１から２４）のうち、既存ＣＳＩ−ＲＳが配置されたリソースエレメント（１，２）（１３，１４）を除いた領域に、ランダムパターン１にしたがってランダムホールをランダムに配置する。
【００７１】
送信ポイントＴＰ＃２は、上側リソースブロック内のリソースエレメント（５）と別のリソースエレメント（１０）にランダムホールがそれぞれ配置され、下側リソースブロック内のリソースエレメント（６）と別のリソースエレメント（１７）にランダムホールがそれぞれ配置されている。ＣＲＳＩ-ＲＳ送信用リソースのうち、既存ＣＳＩ−ＲＳが配置されたリソースエレメント（３，４）（１５，１６）を除いた領域に、ランダムパターン２にしたがってランダムホールをランダムに配置する。
【００７２】
なお、ランダムホールをランダム化するリソース範囲は任意の範囲で良い。ランダムパターン１とランダムパターン２とは互いにランダムホールが重複しないように調整されなくても良い。また、ランダム化するリソース範囲をＣＳＩ−ＲＳパターンまたはゼロパワーＣＳＩ−ＲＳパターン内に限定してもよい。図９に示す１リソースブロックにおいて、ランダムホールを配置可能なリソースエレメントは２０個ある（ゼロパワーＣＳＩ−ＲＳを含む）。仮に、１リソースブロック内でランダム化するのであれば、２０個中から２個のリソースエレメントを選択する組み合わせ数だけランダムパターンが存在する。２リソースブロック内でランダム化するのであれば、４０個中から４個のリソースエレメントを選択する組み合わせ数だけランダムパターンが存在する。
【００７３】
送信ポイント＃１を構成する無線基地局（ＴＰ＃１）は、ＴＰ＃１に接続するユーザ端末のうち、干渉測定用のランダムホールをサポートするサポート端末に対して、図９に示すランダムホールの設定情報を暗示的に通知し、既存端末（Rel.10）に対して図４に示す既存ＣＳＩ−ＲＳの設定情報を暗示的に通知すると共にランダムホールをゼロパワーＣＳＩ−ＲＳとして暗示的に通知する。
【００７４】
サポート端末は、通知されたランダムホールを用いて干渉測定し、既存ＣＳＩ−ＲＳを用いてチャネル状態測定する。また、干渉測定にはランダムホールを用いた干渉測定に加えて既存ＣＳＩ−ＲＳを用いて干渉測定を行ってもよい。ランダムホールはゼロパワーであるので、干渉測定用のランダムホールで受信された信号は、他の送信ポイントＴＰ＃２からの干渉信号そのものとなる。既存ＣＳＩ−ＲＳを用いた干渉測定では、接続先の送信ポイントＴＰ＃１から送信されたＣＳＩ−ＲＳと他の送信ポイント（図９ではＴＰ＃２以外の他の送信ポイント）からのＣＳＩ−ＲＳとを分離して干渉測定する。
【００７５】
既存端末（Rel.10）は、ランダムホールに割り当てられたリソースがゼロパワーＣＳＩ−ＲＳとして通知される。既存端末（Rel.10）は、ランダムホールを除外してデータ復調する。
【００７６】
本発明の第９の側面は、ＣＳＩ-ＲＳを配置可能な領域において、リソースエレメント単位の干渉測定用ＣＳＩ−ＲＳ（以下、ランダムＣＳＩ−ＲＳという）を、ランダムに配置（ホッピング）するようにした。上記第４の側面におけるランダムホールをノンゼロパワーＣＳＩ−ＲＳに置き換えるということもできる。
【００７７】
図１０はランダムＣＳＩ−ＲＳが配置されたＣＳＩ−ＲＳパターンの一例を示しており、図１Ａに示す第８、９、１０、１１シンボルを２リソースブロック分だけ抜き出したものである。ランダムパターンは、図９に示すＣＳＩ−ＲＳパターンと同一のパターンを適用している。
【００７８】
このように、ランダムＣＳＩ−ＲＳベースの干渉測定法を適用した場合も、干渉測定に利用可能なパターン数を増加できると共に、ランダムＣＳＩ−ＲＳは、ノンゼロパワーＣＳＩ−ＲＳであるので、干渉測定用の参照信号数を増加でき、ＣＳＩのためのチャネル状態測定用の参照信号数を増加できる。
【００７９】
本発明の第１０の側面は、送信ポイント間または２つ以上の干渉測定用リソース間で互いに同一の干渉測定用ゼロパワーＣＳＩ−ＲＳパターンを用いる。干渉測定用ゼロパワーＣＳＩ−ＲＳは同一周波数であって連続する２シンボルで構成される２リソースエレメントに割り当てられるが、一方の送信ポイントに対して２リソースエレメントの一方のリソースエレメントに１つのランダムホールを割当て、他方の送信ポイントに対して２リソースエレメントの他方のリソースエレメントに１つのランダムホールを割当てる。既存端末（Rel.10）に対しては干渉測定用ゼロパワーＣＳＩ−ＲＳが割り当てられたリソースエレメントのセット（２リソースエレメント）ＳＥＴ１、ＳＥＴ２…をゼロパワーＣＳＩ−ＲＳとして通知する。
【００８０】
これにより、既存端末（Rel.10）に対して既存パターンを利用してランダムホール（及びランダムホールに隣接するリソースエレメント）を通知でき、データ復調精度の劣化を防ぐことができる。
【００８１】
ここで、同一干渉測定用ゼロパワーＣＳＩ−ＲＳパターンベースの干渉測定法について説明する。
図１１は、同一干渉測定用ゼロパワーＣＳＩ−ＲＳパターンの一例を示しており、図１Ａに示す第８、９、１０、１１シンボルを２リソースブロック分だけ抜き出したものである。
【００８２】
送信ポイントＴＰ＃１は、１リソースブロック内において、リソースエレメントセットＳＥＴ1（７，８），ＳＥＴ２（１９，２０）に干渉測定用ゼロパワーＣＳＩ−ＲＳが配置され、かつリソースエレメントセットＳＥＴ１（７，８）では左側エレメントがランダムホールに指定され、リソースエレメントセットＳＥＴ２（１９，２０）では右側エレメントがランダムホールに指定されている。
【００８３】
送信ポイントＴＰ＃２は、送信ポイントＴＰ＃１と同一パターンで干渉測定用ゼロパワーＣＳＩ−ＲＳが配置されている。しかし、ランダムホールの位置は送信ポイント間で直交（左右が逆の配置）させている。すなわち、１リソースブロック内において、リソースエレメントセットＳＥＴ１（７，８）、ＳＥＴ２（１９，２０）に干渉測定用ゼロパワーＣＳＩ−ＲＳが配置され、かつリソースエレメントセットＳＥＴ１（７，８）では右側エレメント（８）がランダムホールに指定され、リソースエレメントセットＳＥＴ２（１９，２０）では左側エレメント（１９）がランダムホールに指定されている。
【００８４】
送信ポイントＴＰ＃１を構成する無線基地局は、自局に接続されるサポート端末に対して、図１１に示す干渉測定用ゼロパワーＣＳＩ−ＲＳパターンを暗示的に通知する。無線基地局は、さらにランダムホールの位置（リソースエレメントセットＳＥＴ内での左右の位置）を暗示的に通知しても良いし、ランダムホールの位置（リソースエレメントセットＳＥＴ内での左右の位置）のみを暗示的に通知しても良い。本例では、干渉測定用ゼロパワーＣＳＩ−ＲＳパターン情報とランダムホールの位置情報とを暗示的に通知する。又は、干渉測定用ゼロパワーＣＳＩ−ＲＳの配置パターンだけでなく、ランダムホールの位置まで特定される新たなパターンを定義しても良い。無線基地局は、既存端末（Rel.10）に対して図４に示す既存ＣＳＩ−ＲＳの設定情報を暗示的に通知すると共に、干渉測定用ゼロパワーＣＳＩ−ＲＳをゼロパワーＣＳＩ−ＲＳとして暗示的に通知する。干渉測定用ゼロパワーＣＳＩ−ＲＳは、ゼロパワーＣＳＩ−ＲＳの通知にも使用される、ＬＴＥ-Ａ（Rel.10）に規定されたＣＳＩ−ＲＳパターン（４ポート）に基づいている。
【００８５】
これにより、既存端末（Rel.10）は、リソースエレメント単位のランダムホールが設定されたとしても、正しく復調できない可能性のある危険リソースが、サポートしているシグナリング法によって通知されるので、データ復調精度の劣化を防止できる。
【００８６】
本発明の第１１の側面は、送信ポイント間または２つ以上の干渉測定用リソース間で互いに同一の干渉測定用ＣＳＩ−ＲＳパターンを用いる。すなわち、上記第１０の側面において干渉測定用ゼロパワーＣＳＩ−ＲＳの一方のリソースエレメントに割り当てたランダムホールを干渉測定専用のノンゼロパワーＣＳＩ−ＲＳに代えたものである。干渉測定専用ＣＳＩ−ＲＳは同一周波数であって連続する２シンボルで構成される２リソースエレメントに割り当てられるが、一方の送信ポイントに対して２リソースエレメントのうち一方のリソースエレメントに１つの干渉測定専用ＣＳＩ−ＲＳを割当て、他方のリソースエレメントには参照信号は割当てない。また、干渉測定専用ＣＳＩ−ＲＳに割り当てた２リソースエレメントのうち、他方の送信ポイントに対して２リソースエレメントの中の他方のリソースエレメントに１つの干渉測定専用ＣＳＩ−ＲＳを割当てる。既存端末（Rel.10）に対しては干渉測定用ゼロパワーＣＳＩ−ＲＳが割り当てられたリソースエレメントのセット（２リソースエレメント）ＳＥＴ１、ＳＥＴ２…をゼロパワーＣＳＩ−ＲＳとして通知する。
【００８７】
これにより、既存端末（Rel.10）に対して既存パターンを利用して干渉測定専用ＣＳＩ−ＲＳ（及び干渉測定専用ＣＳＩ−ＲＳに隣接するリソースエレメント）を通知でき、データ復調精度の劣化を防ぐことができる。
【００８８】
図３、５、６に示すＣＳＩ−ＲＳパターンにおいて、干渉測定用の既存ＣＳＩ−ＲＳ（図３），干渉測定専用ＣＳＩ−ＲＳ(図５)、干渉測定用ゼロパワーＣＳＩ−ＲＳ（図６）が追加されているが、これら追加したＣＳＩ−ＲＳはＬＴＥ-Ａ（Rel.10）で規定されている既存ＣＳＩ−ＲＳパターンをそのまま踏襲している（再利用ということもできる）。したがって、既存端末（Rel.10）に対して端末能力（端末がサポートしている機能）の範囲内でミュートすべきリソースをシグナリングすることができる。
【００８９】
一方、図９、１０に示すＣＳＩ−ＲＳパターンは既存ＣＳＩ−ＲＳパターンとは異なる。図１３Ａ,Ｂを参照して、既存ＣＳＩ−ＲＳパターン（Rel.10）と違ったＣＳＩ−ＲＳパターンを適用する場合の既存端末（Rel.10）への影響を軽減するための対策について説明する。図１３Ａに示すように、ランダムホールが追加されたＣＳＩ−ＲＳパターンを適用する場合、既存端末（Rel.10）はランダムホールを既存ＣＳＩ−ＲＳパターンから認識できないので、ランダムホールを含んでデータ復調を試みるとデータ復調精度が劣化する。
【００９０】
ＬＴＥ-Ａ（Rel.10）において、ゼロパワーＣＳＩ−ＲＳのシグナリング法が規定されている。既存端末（Rel.10）に対して、既存端末（Rel.10）が対応できないランダムホール（又はランダムＣＳＩ−ＲＳ）、及び、そのランダムホール（又はランダムＣＳＩ−ＲＳ）の隣接シンボルで同一周波数の隣接リソースエレメントを、通知するために上記シグナリング法を利用できる。これにより、既存端末（Rel.10）に対して正しく復調できない可能性があるリソースエレメントを通知することができる。
【００９１】
図１Ｃに示すＦＤＤのノーマルパターンにＴＤＤのアディショナルパターンを加えたインデックス［＃０−＃９、＃２０−＃２５］（CSI  Configuration=0-9,20-25）に対応させて、１６ビットのビットマップ情報が無線基地局からユーザ端末へ通知される。例えば、基本パターンとして、インデックス＃６で示されるＣＳＩ−ＲＳ用リソースにゼロパワーＣＳＩ−ＲＳが割り当てられる場合、ビットマップ情報［００００００１０００００００００］が通知される。ビットマップ情報では、ゼロパワーＣＳＩ−ＲＳが割り当てられるリソースには“１”がセットされ、ミューティングされないリソースには“０”がセットされる。１６ビットビットマップ上の１ビットで同時に４リソースエレメントに対してミューティングのオン／オフが指示できる。図１１Ｂに示す例では、インデックス＃７に１を立てたビットマップ情報［０００１００００００００００００］によって、ＳＥＴ１とＳＥＴ２を同時にオフ（ミュート）できる。しかも、図１１、１２に示すように、複数の送信ポイントＴＰ＃１，ＴＰ＃２間で、同一の干渉測定用ゼロパワーＣＳＩ−ＲＳパターン（図１１）、干渉測定用ランダムＣＳＩ−ＲＳパターン(図１２)を適用する場合に効果的である。図９に示す干渉測定用ゼロパワーＣＳＩ−ＲＳパターンに着目すると、ＴＰ＃１に適用される干渉測定用ゼロパワーＣＳＩ−ＲＳパターンでは、ＳＥＴ＃１内の左側リソースエレメントに干渉測定用ゼロパワーＣＳＩ−ＲＳを割当て、ＴＰ＃２に適用される干渉測定用ゼロパワーＣＳＩ−ＲＳパターンでは、ＳＥＴ＃１内の右側リソースエレメントに干渉測定用ゼロパワーＣＳＩ−ＲＳを割当てている。同様に、ＴＰ＃１，ＴＰ＃２間のＳＥＴ＃２においても同様の直交関係が保たれている。１６ビットのビットマップ情報では１ビットで４リソースエレメントを指定できるので、同一の干渉測定用ゼロパワーＣＳＩ−ＲＳパターンで送信ポイントＴＰ＃１及びＴＰ＃２の双方をカバーできる。この既存のシグナリング法を適用すれば、４リソースエレメント、８リソースエレメント（さらに、４の倍数のリソースエレメント）をゼロパワーＣＳＩ−ＲＳとして通知できる。
【００９２】
図１３Ｂに示すように、１６ビットのビットマップ情報に利用されるＣＳＩ−ＲＳパターンに基づいて、干渉測定用ゼロパワーＣＳＩ−ＲＳ（ランダムホールを含んだリソースエレメントセットＳＥＴ１，ＳＥＴ２）を定義する。これにより、ランダムホールを含んだリソースエレメントセットＳＥＴ１，ＳＥＴ２は既存ＣＳＩ−ＲＳパターンに含まれた１パターンとなる。したがって、既存端末（Rel.10）に対してランダムホールを含んだリソースエレメントセットＳＥＴ１，ＳＥＴ２がゼロパワーＣＳＩ−ＲＳとしてシグナリングされれば、既存端末（Rel.10）はランダムホールを含んだリソースエレメントセットＳＥＴ１，ＳＥＴ２を認識でき、そのリソースを避けてデータ復調することができる。
【００９３】
本発明の第１２の側面は、上記した第１の側面から第１１の側面のいずれかの干渉測定方法と、既存（Rel.10）のＣＲＳ、ＣＳＩ−ＲＳ，ゼロパワーＣＳＩ−ＲＳ，データチャネルとを組み合わせた干渉測定方法である。
【００９４】
例えば、サポート端末が干渉測定を行う際には高密度化ＣＳＩ−ＲＳのみを用いて干渉推定を行ってもよいし、高密度化ＣＳＩ−ＲＳに加えて、既存ＣＳＩ−ＲＳ、既存ゼロパワーＣＳＩ−ＲＳ、既存ＣＲＳ、データチャネルのいずれかとの組み合わせにより干渉推定を行ってもよい。
【００９５】
また、サポート端末が干渉測定を行う際には干渉測定専用ＣＳＩ−ＲＳのみを用いて干渉推定を行ってもよいし、干渉測定専用ＣＳＩ−ＲＳに加えて、既存ＣＳＩ−ＲＳ、既存ゼロパワーＣＳＩ−ＲＳ、既存ＣＲＳ、データチャネルのいずれかとの組み合わせにより干渉推定を行ってもよい。
【００９６】
また、サポート端末が干渉測定を行う際には干渉測定用ゼロパワーＣＳＩ−ＲＳのみを用いて干渉推定を行ってもよいし、干渉測定用ゼロパワーＣＳＩ−ＲＳに加えて、既存ＣＳＩ−ＲＳ、既存ゼロパワーＣＳＩ−ＲＳ、既存ＣＲＳ、データチャネルのいずれかとの組み合わせにより干渉推定を行ってもよい。
【００９７】
また、サポート端末が干渉測定を行う際にはランダムホールのみを用いて干渉推定を行ってもよいし、ランダムホールに加えて、既存ＣＳＩ−ＲＳ、既存ゼロパワーＣＳＩ−ＲＳ、既存ＣＲＳ、データチャネルのいずれかとの組み合わせにより干渉推定を行ってもよい。
【００９８】
また、サポート端末が干渉測定を行う際にはランダムＣＳＩ−ＲＳのみを用いて干渉推定を行ってもよいし、ランダムＣＳＩ−ＲＳに加えて、既存ＣＳＩ−ＲＳ、既存ゼロパワーＣＳＩ−ＲＳ、既存ＣＲＳ、データチャネルのいずれかとの組み合わせにより干渉推定を行ってもよい。
【００９９】
また、サポート端末が干渉測定を行う際には、干渉測定用ゼロパワーＣＳＩ−ＲＳパターンのみを用いて干渉推定を行ってもよいし、干渉測定用ゼロパワーＣＳＩ−ＲＳパターンに加えて、既存ＣＳＩ−ＲＳ、既存ゼロパワーＣＳＩ−ＲＳ、既存ＣＲＳ、データチャネルのいずれかとの組み合わせにより干渉推定を行ってもよい。
【０１００】
また、サポート端末が干渉測定を行う際には、複数送信ポイント間で同一の干渉測定用ゼロパワーＣＳＩ−ＲＳのみを用いて干渉推定を行ってもよいし、干渉測定用ゼロパワーＣＳＩ−ＲＳパターンに加えて、既存ＣＳＩ−ＲＳ、既存ゼロパワーＣＳＩ−ＲＳ、既存ＣＲＳ、データチャネルのいずれかとの組み合わせにより干渉推定を行ってもよい。
【０１０１】
また、サポート端末が干渉測定を行う際には、複数送信ポイント間で同一の干渉測定用ランダムＣＳＩ−ＲＳのみを用いて干渉推定を行ってもよいし、干渉測定用ランダムＣＳＩ−ＲＳパターンに加えて、既存ＣＳＩ−ＲＳ、既存ゼロパワーＣＳＩ−ＲＳ、既存ＣＲＳ、データチャネルのいずれかとの組み合わせにより干渉推定を行ってもよい。
【０１０２】
以下に、第１の側面から第１１の側面のいずれかの干渉測定方法と既存ＣＲＳとを用いて干渉測定する一例を示す。
【０１０３】
例えば、マクロセル（送信ポイントＴＰ＃１）の中に２つのピコセル（送信ポイントＴＰ＃２，３）が置局されたシステム構成を考える。マクロセル及び２つのピコセルに対して同一のセルＩＤが付与されているとする。かかるシステム構成において、３セル間で同一リソースに同一セルＩＤのＣＲＳが配置されるので、ユーザ端末は３つのセルが合成された１つの仮想セル以外のセルから受けるＣＲＳに基づいて干渉を測定することになる。すなわち、ＣＲＳを用いて干渉測定することにより、仮想セル以外のセルから受ける干渉を測定できる。
【０１０４】
マクロセル及び２つのピコセルからの干渉は、ＣＳＩ−ＲＳを用いる第１の側面から第１１の側面のいずれかの干渉測定方法を適用して測定する。ＣＳＩ−ＲＳは、セルＩＤに依存していないのでセル単位で分離することができる。また、ユーザ固有の識別情報を組み込んだ信号系列に基づいてＣＳＩ−ＲＳの信号系列を生成すれば、同一時間・周波数リソースに多重されたとしても、コード分割して取り出すことができる。
【０１０５】
ここで、本発明の実施例に係る無線通信システムについて詳細に説明する。図１４は、本実施例に係る無線通信システムのシステム構成の説明図である。なお、図１４に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ-Ａｄｖａｎｃｅｄと呼ばれても良いし、４Ｇと呼ばれても良い。
【０１０６】
図１４に示すように、無線通信システム１は、各送信ポイントの基地局装置２０Ａ、２０Ｂと、この基地局装置２０Ａ、２０Ｂと通信する移動端末装置１０とを含んで構成されている。基地局装置２０Ａ、２０Ｂは、上位局装置３０と接続され、この上位局装置３０は、コアネットワーク４０と接続される。また、基地局装置２０Ａ、２０Ｂは、有線接続又は無線接続により相互に接続されている。移動端末装置１０は、送信ポイント＃１、＃２において基地局装置２０Ａ、２０Ｂと通信を行うことができる。なお、上位局装置３０には、例えば、アクセスゲートウェイ装置、無線ネットワークコントローラ（RNC）、モビリティマネジメントエンティティ（MME）等が含まれるが、これに限定されない。
【０１０７】
移動端末装置１０は、既存端末（Rel.10）及びサポート端末（例えば、Rel.11）を含むが、以下においては、特段の断りがない限り移動端末装置として説明を進める。また、説明の便宜上、基地局装置２０Ａ、２０Ｂと無線通信するのは移動端末装置１０であるものとして説明するが、より一般的には移動端末装置も固定端末装置も含むユーザ装置（UE：User  Equipment）でよい。
【０１０８】
無線通信システム１においては、無線アクセス方式として、下りリンクについてはＯＦＤＭＡ（直交周波数分割多元接続）が、上りリンクについてはＳＣ-ＦＤＭＡ（シングルキャリア-周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ-ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【０１０９】
ここで、通信チャネルについて説明する。
下りリンクの通信チャネルは、移動端末装置１０で共有される下りデータチャネルとしてのＰＤＳＣＨ（Physical  Downlink  Shared  Channel）と、下りＬ１／Ｌ２制御チャネル（PDCCH、PCFICH、PHICH）とを有する。ＰＤＳＣＨにより、送信データ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【０１１０】
上りリンクの通信チャネルは、各移動端末装置で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの無線品質情報（CQI：Channel  Quality  Indicator）、ＡＣＫ/ＮＡＣＫ等が伝送される。
【０１１１】
図１５を参照しながら、本実施の形態に係る基地局装置の全体構成について説明する。なお、基地局装置２０Ａ、２０Ｂは、同様な構成であるため、基地局装置２０として説明する。基地局装置２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより基地局装置２０から移動端末装置に送信される送信データは、上位局装置３０から伝送路インターフェース２０６を介してベースバンド信号処理部２０４に入力される。
【０１１２】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【０１１３】
また、ベースバンド信号処理部２０４は、報知チャネルにより、同一送信ポイントに接続する移動端末装置１０に対して、各移動端末装置１０が基地局装置２０との無線通信するための制御情報を通知する。当該送信ポイントにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【０１１４】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。
【０１１５】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【０１１６】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【０１１７】
呼処理部２０５は、通信チャネルの設定や解放等の呼処理や、基地局装置２０の状態管理や、無線リソースの管理を行う。
【０１１８】
次に、図１６を参照しながら、本実施の形態に係る移動端末装置の全体構成について説明する。移動端末装置１０は、送受信アンテナ１０１と、アンプ部１０２と、送受信部（受信部）１０３と、ベースバンド信号処理部１０４と、アプリケーション部１０５とを備えている。
【０１１９】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【０１２０】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。
【０１２１】
図１７を参照して、ＣＳＩ−ＲＳパターンの決定処理に対応した基地局装置の機能ブロックについて説明する。なお、図１７の各機能ブロックは、主に図１５に示すベースバンド処理部に関するものである。また、図１７の機能ブロック図は、本発明を説明するために簡略化したものであり、ベースバンド処理部において通常備える構成を備えるものとする。
【０１２２】
基地局装置２０は、送信側において、参照信号割当部４０１、ミューティングパターン決定部４０２、上位制御情報生成部４０３と、下り送信データ生成部４０４と、下り制御情報生成部４０５と、ＣＳＩ−ＲＳ生成部４０６と、下り送信データ符号化・変調部４０７と、下り制御情報符号化・変調部４０８とを備えている。また、基地局装置２０は、下りチャネル多重部４０９と、ＩＦＦＴ部４１０と、ＣＰ付加部４１１とを備えている。
【０１２３】
参照信号割当部４０１は、図３、５、６、９、１０に示すいずれかのＣＳＩ−ＲＳパターンに基づいて、ＣＳＩ−ＲＳ用リソースに追加ＣＳＩ−ＲＳ（干渉測定専用ＣＳＩ−ＲＳ、干渉測定用ゼロパワーＣＳＩ−ＲＳ、ランダムホール、ランダムＣＳＩ−ＲＳのいずれか）を割り当てる。追加ＣＳＩ−ＲＳを含むＣＳＩ−ＲＳパターンの割当て情報は、サポート端末となる移動端末装置へ暗示的に通知するために上位制御情報生成部４０３へ伝えられ、またＣＳＩ−ＲＳを生成するためにＣＳＩ−ＲＳ生成部４０６へ伝えられる。また、移動端末装置へ暗示的に通知されるゼロパワーＣＳＩ−ＲＳの割当て情報（ビットマップ形成でも良い）はミューティングパターン決定部４０２へ通知される。参照信号割当部４０１は、既存端末（Rel.10）に対して、追加ＣＳＩ−ＲＳをマスクするゼロパワーＣＳＩ−ＲＳを割当てる。サポート端末に対してはチャネル状態測定用に規定したゼロパワーＣＳＩ−ＲＳを割当てる。割り当てられたゼロパワーＣＳＩ−ＲＳパターンはミューティング情報と呼ぶことが有る。
【０１２４】
ミューティングパターン決定部４０２は、ゼロパワーＣＳＩ−ＲＳを割当て情報に基づいてミューティングパターンを決定する。ミューティングパターン決定部４０２は、既存端末（Rel.10）がサポートするＣＳＩ−ＲＳパターンに基づいたミューティングパターンを用いる。図３，５，６に示す追加ＣＳＩ−ＲＳ（チャネル状態測定及び干渉測定兼用のＣＳＩ−ＲＳ、干渉測定専用ＣＳＩ−ＲＳ、干渉測定用ゼロパワーＣＳＩ−ＲＳ）は既存端末（Rel.10）がサポートするＣＳＩ−ＲＳパターンに基づいたミューティングパターンに基づいている。しかし、図９、図１０に示す追加ＣＳＩ−ＲＳ（ランダムホール、ランダムＣＳＩ−ＲＳ）は、既存端末（Rel.10）がサポートするＣＳＩ−ＲＳパターンに基づいていない。そこで、図１１、図１３Ｂに示すように、ランダムホール又はランダムＣＳＩ−ＲＳを２リソースエレメントからなるリソースエレメントセットＳＥＴ１，ＳＥＴ２のようにパッケージ化する。これにより、既存端末（Rel.10）がサポートするＣＳＩ−ＲＳパターンに基づいて、追加ＣＳＩ−ＲＳリソースをゼロパワーＣＳＩ−ＲＳとしてシグナリングできる。
【０１２５】
上位制御情報生成部４０３は、ハイヤレイヤシグナリング（例えば、ＲＲＣシグナリング）により送受信される上位制御情報を生成し、生成した上位制御情報を下り送信データ符号化・変調部４０７に出力する。上位制御情報生成部４０３は、参照信号割当部４０１から出力されたＣＳＩ−ＲＳの割当てパターン情報を含む上位制御情報を生成する。
【０１２６】
下り送信データ生成部４０４は、下りリンクの送信データを生成し、その下り送信データを下り送信データ符号化・変調部４０７に出力する。
【０１２７】
下り制御情報生成部４０５は、下りリンクの制御情報を生成し、その下り制御情報を下り制御情報符号化・変調部４０８に出力する。下り送信データ符号化・変調部４０７は、下り送信データ及び上位制御情報に対してチャネル符号化及びデータ変調を行い、下りチャネル多重部４０９に出力する。下り制御情報符号化・変調部４０８は、下り制御情報に対してチャネル符号化及びデータ変調を行い、下りチャネル多重部４０９に出力する。
【０１２８】
ＣＳＩ−ＲＳ生成部４０６は、ＣＳＩ−ＲＳを生成し、そのＣＳＩ−ＲＳを下りチャネル多重部４０９に出力する。図３，５，１０に示すように、追加ＣＳＩ−ＲＳがノンゼロパワーＣＳＩ−ＲＳの場合、ＣＳＩ−ＲＳ生成部４０６は、その追加ＣＳＩ−ＲＳを既存ＣＳＩ−ＲＳと共にＣＳＩ−ＲＳ割当てパターン情報にしたがって配置する。一方、図６，９，１１に示すように、追加ＣＳＩ−ＲＳがゼロパワーＣＳＩ−ＲＳの場合、ＣＳＩ−ＲＳ生成部４０６は、追加ＣＳＩ−ＲＳのリソースに対して送信パワーの配分は行わない。
【０１２９】
下りチャネル多重部４０９は、下り制御情報、ＣＳＩ−ＲＳ（追加ＣＳＩ−ＲＳを含む）、上位制御情報及び下り送信データを合成して送信信号を生成する。この場合、下りチャネル多重部４０９は、ミューティングパターン決定部４０２で決定されたミューティングの設定位置を避けるようにして、下り送信データを多重する。下りチャネル多重部４０９は、生成した送信信号をＩＦＦＴ部４１０に出力する。ＩＦＦＴ部４１０は、送信信号を逆高速フーリエ変換（Inverse  Fast  Fourier  Transform）し、周波数領域の信号から時間領域の信号に変換する。ＩＦＦＴ後の送信信号をＣＰ付加部４１１に出力する。ＣＰ付加部４１１は、ＩＦＦＴ後の送信信号にＣＰ（Cyclic  Prefix）を付加して、ＣＰ付加後の送信信号を図１２に示すアンプ部２０２に出力する。
【０１３０】
図１８を参照して、干渉測定処理に対応した移動端末装置の機能ブロックについて説明する。なお、図１８の各機能ブロックは、主に図１６に示すベースバンド処理部１０４に関するものである。また、図１８に示す機能ブロックは、本発明を説明するために簡略化したものであり、ベースバンド処理部において通常備える構成は備えるものとする。
【０１３１】
移動端末装置１０は、受信側において、ＣＰ除去部３０１と、ＦＦＴ部３０２と、下りチャネル分離部３０３と、下り制御情報受信部３０４と、下り送信データ受信部３０５と、干渉測定部３０６と、チャネル推定部３０７と、ＣＱＩ測定部３０８と、を備えている。
【０１３２】
基地局装置２０から送出された送信信号は、図１６に示す送受信アンテナ１０１により受信され、ＣＰ除去部３０１に出力される。ＣＰ除去部３０１は、受信信号からＣＰを除去し、ＦＦＴ部３０２に出力する。ＦＦＴ部３０２は、ＣＰ除去後の信号を高速フーリエ変換（ＦＦＴ：Fast  Fourier  Transform）し、時間領域の信号から周波数領域の信号に変換する。ＦＦＴ部３０２は、周波数領域の信号に変換された信号を下りチャネル分離部３０３に出力する。
【０１３３】
下りチャネル分離部３０３は、下りチャネル信号を、下り制御情報、下り送信データ、ＣＳＩ−ＲＳに分離する。下りチャネル分離部３０３は、下り制御情報を下り制御情報受信部３０４に出力し、下り送信データ及び上位制御情報を下り送信データ受信部３０５に出力し、ＣＳＩ−ＲＳをチャネル推定部３０７に出力する。
【０１３４】
下り制御情報受信部３０４は、下り制御情報を復調し、復調された下り制御情報を下り送信データ受信部３０５に出力する。下り送信データ受信部３０５は、復調された下り制御情報を用いて下り送信データを復調する。このとき、下り送信データ受信部３０５は、暗示的に通知されたＣＳＩ−ＲＳのパターン割当て情報に基づいてＣＳＩ−ＲＳリソースを特定し、ミューティング情報に基づいてミューティングリソースを特定する。下り送信データ受信部３０５は、ＣＳＩ−ＲＳリソース及びミューティングリソースを除いて、ユーザデータを復調する。また、下り送信データ受信部３０５は、下り送信データに含まれる上位制御情報を干渉測定部３０６に出力する。
【０１３５】
干渉測定部３０６は、暗示的に通知されたＣＳＩ−ＲＳのパターン割当て情報に基づいて、ＣＳＩ−ＲＳリソースで他の送信ポイントから受ける干渉を測定する。例えば、図３、５に示すＣＳＩ−ＲＳパターンが通知されている場合、高密度化されたＣＳＩ−ＲＳの各リソースにて干渉測定を行う。接続先の送信ポイントから送信されているＣＳＩ−ＲＳを合成受信信号から差し引いて他の送信ポイントの干渉を測定する。また、図６、９に示すＣＳＩ−ＲＳパターンが通知されている場合、追加ＣＳＩ−ＲＳはゼロパワーであるので、追加ＣＳＩ−ＲＳリソースで受信される信号はそのまま他の送信ポイントからの干渉成分となる。干渉測定部３０６は、追加ＣＳＩ−ＲＳを含む全てのＣＳＩ−ＲＳリソースにおいて干渉測定を行い、全てのリソースブロックで測定結果を平均化する。平均化された干渉測定の結果は、ＣＱＩ測定部３０８に通知される。
【０１３６】
チャネル推定部３０７は、暗示的に通知されたＣＳＩ−ＲＳのパターン割当て情報に基づいてＣＳＩ−ＲＳリソースを特定する。そして、ＣＳＩ−ＲＳに基づいてチャネル状態を推定し、チャネル推定値をＣＱＩ測定部３０８に通知する。ＣＱＩ測定部３０８は、干渉測定部３０６から通知される干渉測定結果、及びチャネル推定部３０７から通知されるチャネル推定結果、フィードバックモードに基づいてＣＱＩを算出する。図３に示すＣＳＩ−ＲＳパターンが適用された場合、チャネル状態測定及び干渉測定に利用可能なＣＳＩ−ＲＳが２倍になっているので、チャネル状態測定精度及び干渉測定精度が改善される。図６，９に示すＣＳＩ−ＲＳパターンのように追加ＣＳＩ−ＲＳがゼロパワーであっても、干渉測定するＣＳＩ−ＲＳリソースが増加しているので、干渉測定精度が改善される。なお、フィードバックモードは、Ｗｉｄｅｂａｎｄ  ＣＱＩ、Ｓｕｂｂａｎｄ  ＣＱＩ、ｂｅｓｔ-Ｍ  ａｖｅｒａｇｅのいずれが設定されてもよい。ＣＱＩ測定部３０８で算出されたＣＱＩは、フィードバック情報として基地局装置２０に通知される。
【０１３７】
本発明は上記実施の形態に限定されず、様々変更して実施することが可能である。例えば、本発明の範囲を逸脱しない限りにおいて、上記説明におけるＣＳＩ−ＲＳの設定位置、ミューティングの設定位置、処理部の数、処理手順、ＣＳＩ−ＲＳの数、ミューティングの数、アンテナ数については適宜変更して実施することが可能である。その他、本発明の範囲を逸脱しないで適宜変更して実施することが可能である。
【符号の説明】
【０１３８】
１  無線通信システム
１０  移動端末装置
２０  基地局装置
３０  上位局装置
４０  コアネットワーク
１０３  送受信部（受信部）
１０４  ベースバンド信号処理部
２０３  送受信部（通知部）
２０４  ベースバンド信号処理部
３０６  干渉測定部
３０７  チャネル推定部
３０８  ＣＱＩ測定部
４０１  参照信号割当部
４０２  ミューティングパターン決定部（ミューティング決定部）
４０３  上位制御情報生成部
４０６  ＣＳＩ−ＲＳ生成部
【図１】
2014057138.tif 000005
【図２】
2014057138.tif 000006
【図３】
2014057138.tif 000007
【図４】
2014057138.tif 000008
【図５】
2014057138.tif 000009
【図６】
2014057138.tif 000010
【図７】
2014057138.tif 000011
【図８】
2014057138.tif 000012
【図９】
2014057138.tif 000013
【図１０】
2014057138.tif 000014
【図１１】
2014057138.tif 000015
【図１２】
2014057138.tif 000016
【図１３】
2014057138.tif 000017
【図１４】
2014057138.tif 000018
【図１５】
2014057138.tif 000019
【図１６】
2014057138.tif 000020
【図１７】
2014057138.tif 000021
【図１８】
2014057138.tif 000022